(57)【要約】【課題】ＦＰＤカセッテの装填の有無等を放射線技師等が的確に認識することが可能なブッキー撮影台を提供する。【解決手段】ＦＰＤカセッテＦを装填可能なカセッテホルダ２を備えるブッキー撮影台１であって、カセッテホルダ２は、装填されたＦＰＤカセッテＦを収納する本体部５と、ＦＰＤカセッテＦを保持可能な保持部７と、少なくともＦＰＤカセッテＦが保持部５に装填されているか否かを検知する検知手段２２、３２と、検知手段２２、３２が、ＦＰＤカセッテＦが保持部７に装填されていることを検知したか否かに応じて、本体部５の外側から視認可能な状態で表示する表示内容を、少なくともＦＰＤカセッテＦが保持部５に装填されている状態と装填されていない状態との間で切り替える表示手段２５、３３とを備える。【選択図】図１３
2012000332.tif 000002
【特許請求の範囲】
【請求項１】
筐体に収納された可搬型の放射線画像撮影装置を装填可能なカセッテホルダを備えるブッキー撮影台であって、
前記カセッテホルダは、
装填された前記放射線画像撮影装置を収納する本体部と、
前記本体部に対して水平方向に引き出しおよび押し込み可能で、前記放射線画像撮影装置を保持可能な保持部と、
を備え、
さらに、
少なくとも前記放射線画像撮影装置が前記保持部に装填されているか否かを検知する検知手段と、
前記検知手段が、前記放射線画像撮影装置が前記保持部に装填されていることを検知したか否かに応じて、前記本体部の外側から視認可能な状態で表示させる表示内容を、少なくとも前記放射線画像撮影装置が前記保持部に装填されている状態と装填されていない状態との間で切り替える表示手段と、
を備えることを特徴とするブッキー撮影台。
【請求項２】
前記本体部は、内部を視認可能な窓部を備え、
前記保持部は、装填された前記放射線画像撮影装置の背面を支持する支持板を備え、
前記検知手段として、前記支持板に設けられた開口に裏側から挿入されて前方に突出するレバーを備え、
前記表示手段として、前記保持部が前記本体部に押し込まれた状態では前記本体部の前記窓部の内側の位置に配置され、前記窓部を介して前記本体部の外側から視認可能な表示片を備え、
前記レバーが、前記放射線画像撮影装置が前記保持部に装填されたことを検知すると、前記表示片の位置を、前記放射線画像撮影装置が前記保持部に装填されていない状態における前記位置から変位させて、前記保持部が前記本体部に押し込まれた状態で前記窓部を介して視認される前記表示片上に表示された表示内容を、少なくとも前記放射線画像撮影装置が前記保持部に装填されている状態と装填されていない状態との間で切り替えることを特徴とする請求項１に記載のブッキー撮影台。
【請求項３】
前記レバーは、軸部材の一端側に固定されており、さらに、前記軸部材の他端側に固定されたアームと、前記アームに取り付けられ、或いは、前記アームにリンクを介して取り付けられた前記表示片とを備え、
前記保持部に前記放射線画像撮影装置が装填されると、前記レバーが前記放射線画像撮影装置に押圧されて揺動し、前記レバーの揺動が前記軸部材を介して前記アームに伝達されて前記アームが揺動し、前記アームの揺動により、或いは前記アームの揺動により上下動する前記リンクにより、前記表示片が変位し、
前記表示片の、前記保持部が前記本体部に押し込まれた状態における前記窓部に対向する側の面に前記表示内容が記載されていることを特徴とする請求項２に記載のブッキー撮影台。
【請求項４】
前記本体部は、内部を視認可能な窓部を備え、
前記保持部は、装填された前記放射線画像撮影装置の背面を支持する支持板と、装填された前記放射線画像撮影装置の上端部分を保持する上端保持部と、装填された前記放射線画像撮影装置の下端部分を保持し、前記支持板に上下動可能に取り付けられた下端保持部とを備え、
を備え、
前記下端保持部が、前記検知手段とされており、
前記表示手段として、前記保持部の前記下端保持部に取り付けられ、前記保持部が前記本体部に押し込まれた状態における前記窓部に対向する側の面に記載された前記表示内容が前記窓部を介して前記本体部の外側から視認可能な表示片を備え、
前記下端保持部が、前記放射線画像撮影装置が前記保持部に装填されて上下動すると、それに応じて、前記表示片の位置が、前記放射線画像撮影装置が前記保持部に装填されていない状態における前記位置から変位して、前記保持部が前記本体部に押し込まれた状態で前記窓部を介して視認される前記表示片上に表示された表示内容を、少なくとも前記放射線画像撮影装置が前記保持部に装填されている状態と装填されていない状態との間で切り替えることを特徴とする請求項１に記載のブッキー撮影台。
【請求項５】
前記検知手段として、光を照射する発光手段と、前記保持部に前記放射線画像撮影装置が装填されている場合に前記発光手段が照射した前記光が前記放射線画像撮影装置で反射した反射光を受光する受光手段とを有する検知器を備え、
前記表示手段として、前記受光手段が前記反射光を受光した場合に前記放射線画像撮影装置が前記保持部に装填されていると判断し、前記受光手段が前記反射光を受光しない場合に前記放射線画像撮影装置が前記保持部に装填されていないと判断して、少なくとも前記放射線画像撮影装置が前記保持部に装填されている状態と装填されていない状態との間で表示内容を切り替える表示部を備えることを特徴とする請求項１に記載のブッキー撮影台。
【請求項６】
前記保持部は、
装填された前記放射線画像撮影装置の背面を支持する支持板と、
装填された前記放射線画像撮影装置の上端部分を保持する上端保持部と、
装填された前記放射線画像撮影装置の下端部分を保持する下端保持部と、
を備えることを特徴とする請求項５に記載のブッキー撮影台。
【請求項７】
前記検知手段および前記表示手段の組を少なくとも１組備え、
前記表示内容を、前記放射線画像撮影装置が前記保持部に装填されていることを表す表示内容と、前記放射線画像撮影装置が前記保持部に装填されていないことを表す表示内容との間で切り替えることを特徴とする請求項１から請求項６のいずれか一項に記載のブッキー撮影台。
【請求項８】
前記検知手段および前記表示手段の組を少なくとも２組備え、
前記表示内容として、前記放射線画像撮影装置の前記保持部に対する装填の有無および装填の向きを表す表示内容を切り替えることを特徴とする請求項１から請求項６のいずれか一項に記載のブッキー撮影台。
【請求項９】
前記検知手段および前記表示手段の組を少なくとも３組備え、
前記表示内容として、前記放射線画像撮影装置の前記保持部に対する装填の有無、装填の向きおよび装填されている前記放射線画像撮影装置のサイズを表す表示内容を切り替えることを特徴とする請求項１から請求項６のいずれか一項に記載のブッキー撮影台。
【請求項１０】
少なくとも前記下端保持部は、装填された前記放射線画像撮影装置の前記下端部分が嵌合する凹部の底部部分に、前記放射線画像撮影装置が装填される際に、前記放射線画像撮影装置の前記下端部分から前記凹部の底部部分に加わる圧力を吸収する緩衝材が設けられていることを特徴とする請求項４または請求項６に記載のブッキー撮影台。
【請求項１１】
前記保持部が取り付けられ、前記本体部に対して水平方向に引き出しおよび押し込み可能な引出部を備え、
前記引出部は、前記保持部の前記支持板の背面側に背面板を備え、
前記引出部の前記背面板には、前記保持部に装填された前記放射線画像撮影装置のコネクタ部分と接続したコネクタに接続されているケーブルが、前記引出部の前記背面板と前記保持部の支持板との間隙で、前記背面板に沿って巻回された状態で配置されており、
前記ケーブルは、前記引出部が前記本体部に対して水平方向に引き出されて前記コネクタが引き出されると、前記コネクタの移動に追従して前記巻回の曲率半径が小さくなり、前記引出部が前記本体部に対して水平方向に押し込まれて前記コネクタが押し込まれると、前記コネクタの移動に追従して前記巻回の曲率半径が大きくなるように構成されていることを特徴とする請求項４、請求項５または請求項１０に記載のブッキー撮影台。
【請求項１２】
前記引出部の前記背面板には、前記ケーブルの前記巻回の中心部から前記背面板に沿って放射状に設けられた単数または複数のレール上を移動可能で、前記ケーブルの巻回の中心部から外側方向に付勢されたガイドが設けられており、
前記ガイドは、前記引出部が前記本体部に対して水平方向に引き出されて前記ケーブルの前記巻回の曲率半径が小さくなると、前記ケーブルにより前記巻回の中心部方向に押されて移動し、前記引出部が前記本体部に対して水平方向に押し込まれると、前記ケーブルを外側に付勢しながら前記レール上を外側に移動して前記ケーブルの前記巻回の曲率半径を拡大させることを特徴とする請求項１１に記載のブッキー撮影台。
【請求項１３】
前記コネクタと前記放射線画像撮影装置のコネクタ部分との電気的な接続が不完全であることを警告する警告手段を備えることを特徴とする請求項１１または請求項１２に記載のブッキー撮影台。
【発明の詳細な説明】
【技術分野】
【０００１】
本発明は、ブッキー撮影台に係り、特に、放射線画像撮影装置等を装填して使用するためのブッキー撮影台に関する。
【背景技術】
【０００２】
病気診断等を目的として、Ｘ線画像に代表される放射線を用いて撮影された放射線画像が広く用いられている。こうした医療用の放射線画像は、従来からスクリーンフィルムを用いて撮影されていたが、放射線画像のデジタル化を図るために輝尽性蛍光体シートを用いたＣＲ（Computed Radiography）装置が開発され、最近では、照射された放射線を放射線検出素子で検出してデジタル画像データとして取得する放射線画像撮影装置（Flat Panel Detector）が開発されている。
【０００３】
ＣＲ装置では、従来から、輝尽性蛍光体シート等をカセッテ状の筐体内に収納した、いわゆるＣＲカセッテを、ブッキー撮影台に装填して放射線画像撮影が行われる。
【０００４】
また、放射線画像撮影装置は、従来、支持台等と一体的に形成された、いわゆる専用機として開発されたが（例えば特許文献１、２参照）、近年、放射線検出素子等を筐体内に収納して可搬とした可搬型の放射線画像撮影装置が開発され、実用化されている（例えば特許文献３、４参照）。以下、このような可搬型の放射線画像撮影装置をＦＰＤカセッテと略称する。そして、ＦＰＤカセッテを装填するブッキー撮影台も、種々開発されている（例えば特許文献５等参照）。
【０００５】
ところで、ＣＲカセッテやＦＰＤカセッテは長方形に形成されている場合もある。そして、このような場合、例えば、細身の人の胸部正面等を撮影する場合にはカセッテをブッキー撮影台に縦長になるように装填し、太っている人の胸部正面等を撮影する場合にはカセッテを横長になるように装填して放射線画像撮影を行う場合がある。なお、以下、カセッテが縦長または横長になるように装填する場合を、それぞれ縦向きまたは横向きに装填するという。
【０００６】
その際、ＣＲカセッテの場合は、撮影ごとにブッキー撮影台に装填され、撮影後にはＣＲ読取装置で画像を読み取るため、ブッキー撮影台からカセッテを取り出す。そのため、ＣＲカセッテがブッキー撮影台にいわば入れっぱなしにされることはなく、通常、放射線技師等がブッキー撮影台に装填する際のＣＲカセッテの向き、すなわち縦向きに装填したか横向きに装填したかを把握した状態で、放射線画像撮影が行われる。
【０００７】
しかし、ＦＰＤカセッテの場合、放射線画像撮影で取得された画像データはＤＲＡＭ（Dynamic ＲＡＭ）等で構成された記憶手段に記憶しておき、必要に応じて無線方式や有線方式でコンソール等の外部装置に送信するように構成することができるため、ＣＲカセッテのように撮影ごとにブッキー撮影台に装填したり取り出したりする必要がない。そのため、ＦＰＤカセッテをブッキー撮影台に入れっぱなしの状態になることも多い。
【０００８】
そして、このようにＦＰＤカセッテがブッキー撮影台に入れっぱなしの状態になると、放射線技師等が、ブッキー撮影台に装填されているＦＰＤカセッテがどの向きに装填されているか、すなわち縦向きに装填されているのか横向きに装填されているのかが分からないため、所望の診断画像を得られず、再撮影をしなくてはならない虞れがある。
【０００９】
そこで、例えば、特許文献５に記載されている技術を応用して、ブッキー撮影台のカセッテホルダ（特許文献５では支持枠体）内にマイクロスイッチや非接触の磁気センサ等で構成された検知器を２種類配置し、ＦＰＤカセッテを縦向きに装填した場合には一方の検知器が反応し、横向きに装填した場合には他方の検知器が反応するように配置する。このように構成すれば、ブッキー撮影台に装填されているＦＰＤカセッテの向きを検知することが可能となる。
【００１０】
また、特許文献６では、ＦＰＤカセッテ内に３軸加速度センサや重力センサを設けておき、それらの情報に基づいてＦＰＤカセッテの姿勢を検知する技術が記載されている。そこで、これを利用して、ＦＰＤカセッテ自体が検知した自らの姿勢に基づいて、ブッキー撮影台に装填されているＦＰＤカセッテの向きを検知するように構成することも可能である。
【先行技術文献】
【特許文献】
【００１１】
【特許文献１】特許第３８９０１６３号公報
【特許文献２】特開平９−７３１４４号公報
【特許文献３】特開２００６−０５８１２４号公報
【特許文献４】特開平６−３４２０９９号公報
【特許文献５】特開２０１０−５７５９６号公報
【特許文献６】特開２０１０−５１６９８号公報
【発明の概要】
【発明が解決しようとする課題】
【００１２】
しかしながら、特許文献５に記載されたブッキー撮影台では、ＦＰＤカセッテのサイズすなわち縦方向の長さと横方向の長さが、例えば１４×１７インチ（外形寸法は３８３．５ｍｍ×４５９．５ｍｍ）の寸法で決まっている場合には、上記の構成により縦向きで装填されたか横向きで装填されたかを検知できるが、ＦＰＤカセッテのサイズが異なるサイズである場合に、どのようにして検知するかが不明である。
【００１３】
また、サイズが異なる場合にＦＰＤカセッテを検知できないと、そもそもＦＰＤカセッテがブッキー撮影台に装填されているか否かも不明になり、ブッキー撮影台をいちいち開けて確認せざるを得なくなるが、これでは不便である。
【００１４】
また、特許文献５に記載の発明では、ブッキー撮影台に装填されたＦＰＤカセッテを冷却するという観点から、上記の検知器で検知したＦＰＤカセッテの向きに基づいて、カセッテホルダ内に配置された複数の冷却器の中から冷却に使用する冷却器を選択してＦＰＤカセッテを冷却することが記載されているが、ブッキー撮影台が検知したＦＰＤカセッテの向きを放射線技師等に知らせるようには構成されておらず、放射線技師等は、ブッキー撮影台に装填されているＦＰＤカセッテの向き等を認識することができない。
【００１５】
一方、特許文献６に記載された放射線画像撮影装置（ＦＰＤカセッテ）は、上記のようにして検知した自らの姿勢の情報を、例えば後述する図１に示すように撮影室Ｒ１や前室（操作室ともいう。）Ｒ２の外に設置されたコンソール１０２に送信する。そして、このように構成し、さらにコンソール１０２の画面１０２ａ上にその向き（姿勢）の情報を表示するように構成すれば、放射線技師等は、その表示を見て、ブッキー撮影台に装填されているＦＰＤカセッテの向きを認識することができる。
【００１６】
しかし、このように構成すると、放射線技師等がブッキー撮影台の所にいる場合、わざわざＦＰＤカセッテをブッキー撮影台から引き出してＦＰＤカセッテの向きを確認するか、撮影室Ｒ１を出てコンソール１０２の所まで行き、コンソール１０２の画面１０２ａで確認しなければならなくなり、必ずしも使い勝手が良いものとはならない。
【００１７】
また、ＦＰＤカセッテに加速度センサや重力センサが設けられていない場合もあり、上記の技術では、加速度センサを備えていないＦＰＤカセッテをブッキー撮影台に装填した場合には、ＦＰＤカセッテの向きを把握することができない。
【００１８】
本発明は、上記の点を鑑みてなされたものであり、ＦＰＤカセッテの装填の有無や向き、装填されているＦＰＤカセッテのサイズ等を放射線技師等が的確に認識することが可能なブッキー撮影台を提供することを目的とする。
【００１９】
また、上記の各場合では、ブッキー撮影台に装填されたＦＰＤカセッテの向き等を、マイクロスイッチや磁気センサ、加速度センサ等により電気的（或いは磁気的）に検知する場合を示したが、これらの電気的（磁気的）センサ等は必ずしも安価ではなく、また、これらを制御するマイコン等が必要となるため、ブッキー撮影台のコストの高騰を招く虞れがある。
【００２０】
そこで、本発明は、上記のように、ＦＰＤカセッテの装填の有無や向き、装填されているＦＰＤカセッテのサイズ等を認識可能であるとともに、装填の向き等の検知を機械的な機構で行うことで、より安価に製造可能なブッキー撮影台を提供することを副次的な目的とする。
【課題を解決するための手段】
【００２１】
前記の問題を解決するために、本発明のブッキー撮影台は、
筐体に収納された可搬型の放射線画像撮影装置を装填可能なカセッテホルダを備えるブッキー撮影台であって、
前記カセッテホルダは、
装填された前記放射線画像撮影装置を収納する本体部と、
前記本体部に対して水平方向に引き出しおよび押し込み可能で、前記放射線画像撮影装置を保持可能な保持部と、
を備え、
さらに、
少なくとも前記放射線画像撮影装置が前記保持部に装填されているか否かを検知する検知手段と、
前記検知手段が、前記放射線画像撮影装置が前記保持部に装填されていることを検知したか否かに応じて、前記本体部の外側から視認可能な状態で表示させる表示内容を、少なくとも前記放射線画像撮影装置が前記保持部に装填されている状態と装填されていない状態との間で切り替える表示手段と、
を備えることを特徴とする。
【発明の効果】
【００２２】
本発明のような方式のブッキー撮影台によれば、検知手段としてのレバーや検知器等がＦＰＤカセッテが装填されていることを検知したか否かに応じて、本体部の窓部に表示する表示手段としての表示片（後述する第１の実施形態参照）の表示内容を切り替えたり、例えばＬＥＤ等で構成された表示手段としての表示部（後述する第２の実施形態参照）の表示内容を切り替えて、本体部の外側から視認可能な状態で、ＦＰＤカセッテの装填の有無や装填の向き、或いは装填されているＦＰＤカセッテのサイズ等を的確に表示することが可能となる。
【００２３】
そのため、放射線技師等がわざわざカセッテホルダを開けたり、撮影室を出てコンソールの所まで行ったり、或いは、ＦＰＤカセッテに加速度センサや重力センサを設けなくても、上記の表示を見ることで、容易かつ的確にＦＰＤカセッテの装填の有無や装填の向き、サイズ等を確認することが可能となる。そのため、ブッキー撮影台が放射線技師等のユーザにとって使い勝手が良いものとなる。
【００２４】
また、上記のような検知や表示を行わせる検知手段や表示手段を機械的な構造や光学的な構造で形成することで、検知手段や表示手段を非常に安価に製造することが可能となり、ブッキー撮影台を安価に製造することが可能となる。
【図面の簡単な説明】
【００２５】
【図１】本実施形態に係るブッキー撮影台が設置される撮影室等の構成例を示す図である。
【図２】（Ａ）本実施形態に係るブッキー撮影台の外観斜視図であり、（Ｂ）外観側面図である。
【図３】カセッテホルダの引出部を本体部から引き出した状態を表す図である。
【図４】（Ａ）背面板に沿って巻回されたケーブル、レール、ガイド等を表す図であり、（Ｂ）ケーブルの巻回が拡大された状態を表す図である。
【図５】（Ａ）コネクタを表す正面図であり、（Ｂ）側面図である。
【図６】ＦＰＤカセッテのコネクタ部分の構成を表す図である。
【図７】カセッテホルダの保持部の基本的な構成を表す図である。
【図８】（Ａ）保持部の下端保持部の側面図であり、（Ｂ）（Ａ）におけるＸ−Ｘ線に沿う側面図である。
【図９】第１の実施形態に係る検知表示機構の構成例を示す図である。
【図１０】第１の実施形態に係る検知表示機構の別の構成例を示す図である。
【図１１】（Ａ）レバーの屈曲部が開口から突出する状態に挿入されていることを説明する斜視図であり、（Ｂ）断面図である。
【図１２】検知表示機構を１つ設けた場合の構成例および固定端を説明する図である。
【図１３】（Ａ）本体部の窓部および図１２の場合の表示片と窓部との位置関係を表す斜視図であり、（Ｂ）断面図である。
【図１４】図１２の場合の表示片の構成を説明する図である。
【図１５】検知表示機構を２つ設けた場合の構成例を説明する図である。
【図１６】（Ａ）図１５の場合の表示片２５Ａの構成を説明する図であり、（Ｂ）図１５の場合の表示片２５Ｂの構成を説明する図である。
【図１７】（Ａ）図１５の場合の各表示片等と窓部との位置関係を表す斜視図であり、（Ｂ）断面図である。
【図１８】検知表示機構を３つ設けた場合の構成例を説明する図である。
【図１９】図１８の場合の３つ目の表示片２５Ｃの構成を説明する図である。
【図２０】（Ａ）図１８の場合の各表示片等と窓部との位置関係を表す斜視図であり、（Ｂ）断面図である。
【図２１】第１の実施形態に係る検知表示機構の別の構成例を示す図である。
【図２２】図２１の場合の表示片の構成を説明する図である。
【図２３】第２の実施形態に係る検知表示機構の構成例を示すブロック図である。
【図２４】図２３の検知表示機構における検知器の構成例を表す図であり、検知器と保持部の支持板の開口との位置関係等を表す図である。
【図２５】図２３の検知表示機構における表示部の構成例を表す図である。
【図２６】ＦＰＤカセッテを保持部に縦向きに装填した状態を表す図である。
【図２７】ＦＰＤカセッテを保持部に横向きに装填した状態を表す図である。
【発明を実施するための形態】
【００２６】
以下、本発明に係るブッキー撮影台の実施の形態について、図面を参照して説明する。ただし、本発明は以下の図示例のものに限定されるものではない。
【００２７】
［第１の実施の形態］
まず、以下では、本実施形態に係るブッキー撮影台について説明する前に、ブッキー撮影台が設置される撮影室等の構成例について説明する。図１は、本実施形態に係るブッキー撮影台が設置される撮影室等の構成例を示す図である。
【００２８】
図１では、本実施形態に係るブッキー撮影台１に可搬型の放射線画像撮影装置（以下、ＦＰＤカセッテという。）Ｆを装填して、撮影室Ｒ１で図示しない患者の身体の一部を被写体として、被写体に放射線を照射して放射線画像撮影を行う場合が示されている。
【００２９】
図１に示すように、撮影室Ｒ１には、ブッキー撮影台１が設置されており、ブッキー撮影台１は、そのカセッテホルダ２にＦＰＤカセッテＦを装填して用いることができるようになっており、ブッキー撮影台１やカセッテホルダ２等の構成については後で詳しく説明する。
【００３０】
なお、図１に示すように、ブッキー撮影台１には、大きく分けて、患者を起立させた状態で撮影を行う立位撮影用のブッキー撮影台１Ａと、患者を天板上に横臥させた状態で撮影を行う臥位撮影用のブッキー撮影台１Ｂがあり、図１には、撮影室Ｒ１にその両方が設置された場合が示されている。しかし、撮影室Ｒ１に立位撮影用と臥位撮影用の両方のブッキー撮影台１Ａ、１Ｂがともに設置されている必要はなく、いずれか一方のブッキー撮影台のみが設置されていてもよい。
【００３１】
本実施形態では、後述するように、コネクタ８（図５（Ａ）、（Ｂ）参照）とＦＰＤカセッテＦのコネクタ部分ｆｃ（図６参照）とが接続されるようになっており、コネクタ８に接続されたケーブル９が中継器（アクセスポイントともいう。）１００に接続されている。そして、中継器１００は、後述する放射線発生装置１０１やコンソール１０２に接続されており、それらの間の交信や、それらとＦＰＤカセッテＦとの間の交信を中継するとともに、ケーブル９やコネクタ８を介してブッキー撮影台１に装填されたＦＰＤカセッテＦに電力を供給するようになっている。
【００３２】
なお、ＦＰＤカセッテＦは、このようにブッキー撮影台１のコネクタ８が接続されている状態では、中継器１００から電力が供給されるが、コネクタ８が接続されていない状態では、自らに内蔵された図示しないバッテリから図示しない自らのセンサパネル等に電力を供給するようになっている。
【００３３】
また、本実施形態では、ＦＰＤカセッテＦは無線方式でデータ等を送信することができるようになっており、中継器１００には、それを受信して中継するためのアンテナ１００ａが設けられている。
【００３４】
放射線発生装置１０１は、ブッキー撮影台１に装填されたＦＰＤカセッテＦに対して放射線を照射するＸ線管球等からなる放射線源１０１ａを備えており、また、前室Ｒ２に、放射線技師等が操作して放射線源１０１ａに放射線の照射を指示するための曝射スイッチ１０１ｃが設けられた操作卓１０１ｂを備えている。
【００３５】
本実施形態では、汎用コンピュータや専用機からなるコンソール１０２が、撮影室Ｒ１や前室Ｒ２の外に設けられているが、例えば、コンソール１０２を前室Ｒ２に設けることも可能である。
【００３６】
コンソール１０２では、撮影室Ｒ１で行う放射線画像撮影の撮影順や撮影条件等を設定したり、ＦＰＤカセッテＦに起動信号や覚醒信号を送信してＦＰＤカセッテＦを起動させたり覚醒させたりすることができるようになっており、撮影室Ｒ１や前室Ｒ２内に設置された種々の装置に対して信号を送信したり、各装置から情報を収集することができるようになっている。
【００３７】
また、コンソール１０２は、ＦＰＤカセッテＦから画像データ等が送信されてくると、それらに基づいてプレビュー画像や放射線画像を作成して、ＣＲＴ（Cathode Ray Tube）やＬＣＤ（Liquid Crystal Display）等で構成された画面１０２ａ上に表示したり、それらのデータや画像の情報をＨＤＤ（Hard Disk Drive）等で構成された記憶手段１０３に保存するようになっている。
【００３８】
また、この他にも、ネットワーク等を介して、コンソール１０２に、ＨＩＳ（Hospital Information System；病院情報システム）やＲＩＳ（Radiology Information System；放射線科情報システム）が接続されたり、放射線画像をプリントアウトするためのイメージャが接続されたり、或いは、ＣＲカセッテを用いて撮影を行うことができる場合には、ＣＲカセッテから画像データを読み取るためのＣＲ読取装置を備えるなど、必要な各種の装置やシステムが設置され、或いは接続される。
【００３９】
次に、各実施形態に係るブッキー撮影台１について、図面を参照して説明する。
【００４０】
図２（Ａ）、（Ｂ）は、本実施形態に係るブッキー撮影台の外観図であり、（Ａ）は外観斜視図、（Ｂ）は外観側面図である。本実施形態では、ブッキー撮影台１は、カセッテホルダ２と、カセッテホルダ２を上下方向に移動可能に支持する支柱３と、支柱３等を図示しない床面等に固定するための脚部４等を備えて構成されている。
【００４１】
なお、本実施形態では、ブッキー撮影台１が、図２（Ａ）、（Ｂ）に示すように、カセッテホルダ２の手前側に被写体である患者等の図示しない被験者を起立させた状態で放射線画像撮影を行う、前述した立位撮影用のブッキー撮影台１Ａである場合について説明するが、図１に示した臥位撮影用のブッキー撮影台１Ｂ等の他の形態のブッキー撮影台の場合にも、本発明を適用することが可能である。
【００４２】
図２（Ａ）、（Ｂ）や図３に示すように、カセッテホルダ２は、主に、本体部５と、引出部６と、保持部７とを備えて構成されている。なお、図３は、カセッテホルダ２の引出部６を本体部５から引き出した状態を表す図である。
【００４３】
カセッテホルダ２の本体部５は、側面部に開口５１が設けられた筐体状に形成されており、筐体の上面部には、被験者の胸部レントゲン撮影等を行う際に被験者が顎を載せるための窪み５２が設けられている。
【００４４】
なお、本実施形態のブッキー撮影台１は、窪み５２に顎を載せて被験者の胸部のレントゲン撮影のみを行うものではなく、カセッテホルダ２を上方に移動させて被験者の頭部を撮影したり、カセッテホルダ２を下方に移動させて被験者の腹部や腰部、脚部等を撮影したり、或いは、カセッテホルダ２を上方から下方に移動させながら被験者の頭部や胸部、腹部、脚部を連続的に撮影する、いわゆる長尺撮影を行うことも可能とされている。
【００４５】
カセッテホルダ２の引出部６は、略板状の背面板６１を備えて形成されており、背面板６１が、本体部５の開口５１に挿入された状態で図示しないレールに沿って本体部５に対して水平方向に引き出したり押し込んだりすることができるようになっている。そして、引出部６を本体部５に押し込むことで、引出部６の背面板６１が本体部５内に収納されるようになっている。
【００４６】
また、引出部６の背面板６１の水平方向の一端側、すなわち引出部６が本体部５から引き出された状態における本体部５側とは反対側の端部側には、背面板６１を本体部５に完全に押し込んだ状態で本体部５の開口５１に嵌合して開口５１を閉塞する蓋状部６２が背面板６１と一体的に形成されている。また、蓋状部６２の外側には、放射線技師等が把持して引出部６を本体部５から引き出したり本体部５内に押したりするための取手６３が設けられている。
【００４７】
また、引出部６の背面板６１の手前側には、筐体に収納された可搬型の放射線画像撮影装置（以下、ＦＰＤカセッテという。）Ｆを保持することが可能な保持部７が取り付けられており、保持部７は、引出部６の移動にあわせて本体部５に対して水平方向にスライドするようになっている。すなわち、保持部７は、引出部６とともに本体部５に対して水平方向に引き出されたり押し込まれたりするようになっている。
【００４８】
本実施形態では、カセッテホルダ２の保持部７は、図３に示すように、装填されたＦＰＤカセッテＦの上端部分および下端部分を保持し背面側から支持する上端保持部７１、下端保持部７２および支持板７３とを備えて構成されているが、それらと、検知表示機構を含む保持部７に付随する構成については後で詳しく説明する。
【００４９】
保持部７の支持板７３の裏側、すなわち引出部６の背面板６１側には、図４（Ａ）に示すように、引出部６の背面板６１に沿うように、コネクタ８とケーブル９が設けられている。
【００５０】
図５（Ａ）、（Ｂ）は、コネクタ８を表す正面図および側面図である。本実施形態では、コネクタ８は、基本的に、支持体８ａから所定本数のピン８ｂが突出された構成とされており、各ピン８ｂの両側には、マグネット８ｃが上下方向に延在する状態でそれぞれ支持体８ａに固定されている。
【００５１】
また、コネクタ８の各ピン８ｂは、先端部分がマグネット８ｃより外側にそれぞれ突出するように構成されているが、支持体８ａに対して各ピン８ｂの軸方向に移動可能とされている。そして、図示を省略するが、各ピン８ｂは、支持体８ａの内部でそれらの後端部分がバネ等の弾性体により突出方向（すなわち図５（Ａ）では左向き、図５（Ｂ）では手前側）に付勢されている。
【００５２】
また、コネクタ８の支持体８ａの各ピン８ｂが設けられた面の、各ピン８ｂの上下の位置には、後述するＦＰＤカセッテＦのコネクタ部分ｆｃに設けられた孔ｆｃ３に挿入されることで、ＦＰＤカセッテＦとコネクタ８との位置決め、すなわちそれらの上下方向や水平方向の相対的な位置関係を確定されるための位置決めピン８ｄがそれぞれ突設されている。
【００５３】
さらに、コネクタ８の支持体８ａには、コネクタ８の各ピン８ｂをそれぞれ接続された図示しない各導線が内包されたケーブル９が接続されている。
【００５４】
一方、本実施形態では、ＦＰＤカセッテＦの一端面には、図６に示すように、コネクタ部分ｆｃが設けられている。そして、コネクタ部分ｆｃには、コネクタ８の各ピン８ｂとそれぞれ接触する端面が平面状の各ピンｆｃ１が並設されており、各ピンｆｃ１の両側には、コネクタ８のマグネット８ｃが着磁可能な金属板ｆｃ２が設けられている。
【００５５】
また、ＦＰＤカセッテＦのコネクタ部分ｆｃの各ピンｆｃ１の上下の位置には、上記のように、コネクタ８の各位置決めピン８ｄが挿入されることで、ＦＰＤカセッテＦとコネクタ８との位置決めを行うための孔ｆｃ３がそれぞれ設けられている。本実施形態では、コネクタ８の各位置決めピン８ｄは、各孔ｆｃ３に挿入され易いように、角部がテーパ状に面取りされている。
【００５６】
そして、コネクタ８のマグネット８ｃがＦＰＤカセッテＦのコネクタ部分ｆｃの金属板ｆｃ２と着磁する際に、各位置決めピン８ｄが各孔ｆｃ３に挿入されながらＦＰＤカセッテＦとコネクタ８との上下方向や水平方向の相対的な位置関係が確定されるとともに、ＦＰＤカセッテＦ側の端面が平面状の各ピンｆｃ１にコネクタ８の各ピン８ｂの先端部分がそれぞれ当接した状態で、各ピンｆｃ１により各ピン８ｂが押圧される。
【００５７】
そして、コネクタ８側の各ピン８ｂがＦＰＤカセッテＦ側の各ピンｆｃ１との接触を維持した状態でコネクタ８の支持体８ａ側に押し下げられて、コネクタ８のマグネット８ｃがＦＰＤカセッテＦの金属板ｆｃ２と着磁する。このようにして、ＦＰＤカセッテＦとコネクタ８との位置決めがなされ、各ピンｆｃ１と各ピン８ｂとが確実に電気的に接続された状態で、ＦＰＤカセッテＦとコネクタ８とを接続することが可能となる。
【００５８】
コネクタ８は、図４（Ａ）に示すように、引出部６の背面板６１近くに配置されており、コネクタ部分ｆｃが本体部５側を向くようにＦＰＤカセッテＦが保持部７に装填される場合には本体部５側から、また、コネクタ部分ｆｃが下側を向くようにＦＰＤカセッテＦが保持部７に装填される場合には下側から、それぞれＦＰＤカセッテＦのコネクタ部分ｆｃに接続されるようになっている。
【００５９】
また、コネクタ８に接続されているケーブル９は、引出部６の背面板６１に沿って（すなわち背面板６１に接触または近接した位置で）巻回された状態で配置されており、引出部６の背面板６１と保持部７の支持板７３（図３参照）との間隙に収まるように、背面板６１に沿った状態に配置されている。
【００６０】
そして、ケーブル９は、引出部６が本体部５に対して水平方向に引き出されて、ＦＰＤカセッテＦのコネクタ部分ｆｃに接続されたコネクタ８、或いは引出部６の背面板６１の所定の位置に仮固定されたコネクタ８が引出部６の引き出しに伴って引き出されると、コネクタ８の移動に追従してケーブル９の巻回の曲率半径が小さくなるようになっている。
【００６１】
そして、図４（Ｂ）に示すように、ケーブル９は、引出部６が本体部５に対して水平方向に押し込まれてコネクタ８が本体部５内に押し込まれると、コネクタ８の移動に追従して巻回の曲率半径が大きくなるように構成されている。
【００６２】
このように、ケーブル９は、引出部６の背面板６１に沿って背面板６１と保持部７の支持板７３との間隙に収まった状態で、引出部６およびコネクタ８の水平方向の移動に追従してその巻回の曲率半径が拡大したり縮小したりするだけであるため、引出部６を本体部５から引き出したり押し込んだりする際に、ケーブル９が保持部７等の部材に絡みつく等の不都合が生じることを確実に防止することが可能となる。
【００６３】
また、引出部６の背面板６１に沿ったケーブル９の巻回の拡大や縮小をより的確に行わせるようにするために、本実施形態では、図４（Ａ）、（Ｂ）に示すように、引出部６の背面板６１に、ケーブル９の巻回の中心部から背面板６１に沿って放射状にレール１０が設けられている。なお、本実施形態では、レール１０は２本設けられているが、１本でもよく、或いはさらに多数のレール１０を設けることも可能であり、レール１０やガイド１１は適宜設けられる。
【００６４】
また、上記のようにして設けられたレール１０上を移動可能で、図示しないバネ等でケーブル９を巻回の中心部から外側に付勢するガイド１１が設けられている。
【００６５】
そして、ガイド１１は、図４（Ａ）に示すように、引出部６が本体部５に対して水平方向に引き出されてケーブル９の巻回の曲率半径が小さくなると、ケーブル９に押されて巻回の中心部方向に移動し、図４（Ｂ）に示すように、引出部６が本体部５に対して水平方向に押し込まれると、ケーブル９を外側に付勢しながらレール１０上を外側に移動して、ケーブル９の巻回の曲率半径を拡大させるようになっている。
【００６６】
なお、例えば、ガイド１１のケーブル９との当接部分に凹部等を設け、ガイド１１が移動してもケーブル９がその凹部等から逸脱しないように構成すれば、ケーブル９が引出部６の背面板６１に沿って巻回された状態を的確に維持するようにすることが可能となる。
【００６７】
次に、本実施形態に係るブッキー撮影台１におけるカセッテホルダ２の保持部７の構成および検知表示機構を含む保持部７に付随する構成について説明するとともに、本実施形態に係るブッキー撮影台１の作用について説明する。
【００６８】
カセッテホルダ２の保持部７は、図７に示すように、装填されたＦＰＤカセッテＦの上端部分を保持する上端保持部７１と、下端部分を保持する下端保持部７２と、ＦＰＤカセッテＦを背面側から支持する支持板７３とを備えて構成されている。
【００６９】
本実施形態では、上端保持部７１は支持板７３の上端部分に固定されており、或いは支持板７３の上端部分に支持板７３と一体的に設けられている。また、下端保持部７２は、支持板７３に対して、図示しないバネ等により上方に付勢された状態で上下動可能に取り付けられている。
【００７０】
保持部７にＦＰＤカセッテＦを装填する際には、図７では図示を省略するＦＰＤカセッテＦの下端部分を下端保持部７２に嵌合させて押し下げた後、ＦＰＤカセッテＦの上端部分を上端保持部７１に嵌め込むようにして装填する。このように装填すると、ＦＰＤカセッテＦは、下端部分が下端保持部７２から上方に押圧され、上端部分が上端保持部７１に押し付けられた状態になって、上下方向の位置決めがなされる。
【００７１】
保持部７の上端保持部７１と下端保持部７２には、装填されたＦＰＤカセッテＦの上端部分や下端部分とそれぞれ嵌合する凹部７１ａ、７２ａがそれぞれ設けられている。そして、この凹部７１ａ、７２ａに嵌合するようにＦＰＤカセッテＦを装填することで、保持部７によりＦＰＤカセッテＦが保持されるようになっている。
【００７２】
また、本実施形態では、図８（Ａ）の側面図や図８（Ｂ）の断面図に示すように、少なくとも保持部７の下端保持部７２の凹部７２ａの底部部分７２ｂには、緩衝材７４が設けられている。なお、同様にして、上端保持部７１にも緩衝材７４を設けてもよい。
【００７３】
緩衝材７４は、ゴムやスポンジ等の弾性体で形成されており、緩衝材７４は、その上側端面が、下端保持部７２の底部部分７２ｂの上側端面より上方に突出するように設けられている。
【００７４】
そして、ＦＰＤカセッテＦが保持部７に装填される際には、緩衝材７４が、装填されるＦＰＤカセッテＦの下端部分に接触して、ＦＰＤカセッテＦから保持部７に加わる圧力や、保持部７側からＦＰＤカセッテＦに加わる圧力を吸収する。そして、緩衝材７４が圧力に応じて縮んでいき、ＦＰＤカセッテＦの下端部分を、保持部７の下端保持部７２の底部部分７２ｂに緩やかに当接させる。
【００７５】
緩衝材７４は、このようにして、ＦＰＤカセッテＦが保持部７に装填される際に、少なくともＦＰＤカセッテＦの下端部分と、保持部７の下端保持部７２の凹部７２ａの底部部分７２ｂとがぶつかり合うことを防止するようになっている。
【００７６】
なお、図示を省略するが、保持部７の上端保持部７１の凹部７１ａや、下端保持部７２の凹部７２ａに所定形状の凸部を設けておき、また、ＦＰＤカセッテＦの対応する位置に、上記の所定形状の凸部に対応する凹部を設けておくことで、上端保持部７１の凹部７１ａ等に、ＦＰＤカセッテＦの所定形状の凹部が設けられていない側を挿入しようとしても挿入できないように構成することができる。
【００７７】
そのため、このように構成することで、保持部７に対するＦＰＤカセッテＦの誤挿入を防止することが可能となる。なお、誤挿入を防止する手法は、これに限定されない。例えば、ＦＰＤカセッテＦの背面側にシールを貼付したり、ＦＰＤカセッテＦの表面側に例えば十字のターゲット線を表示する等することで、放射線技師等にＦＰＤカセッテＦの表裏を認識させるようにして、ＦＰＤカセッテＦの表裏を誤らずに保持部７に装填させるように構成することも可能である。
【００７８】
次に、本実施形態に係る検知表示機構について説明する。
【００７９】
検知表示機構は、カセッテホルダ２の保持部７に設けられ、少なくともＦＰＤカセッテＦが保持部７に装填されているか否かを、本体部５の外側から視認可能な状態で表示する表示手段を備えて構成される。そして、検知表示機構は、表示手段に表示させる表示内容を、少なくともＦＰＤカセッテＦが保持部７に装填されている状態と装填されていない状態との間で切り替えるものである。
【００８０】
なお、本実施形態では、後述するように、検知表示機構を複数設けて、表示手段に表示させる表示内容を、ＦＰＤカセッテＦの保持部７に対する装填の有無のみならず、ＦＰＤカセッテＦの装填の向き（すなわちＦＰＤカセッテＦが縦向きに装填されているか横向きに装填されているか）や、装填されているＦＰＤカセッテＦのサイズをも切り替えて表示する場合についても説明する。
【００８１】
本実施形態では、検知表示機構２０は、図９に示すように、棒状の軸部材２１と、軸部材２１の一端側に固定されたレバー２２と、軸部材２１の他端側に固定されたアーム２３と、アーム２３に一端側が取り付けられたリンク２４と、リンク２４の他端側に取り付けられた板状の表示片２５とを備えて構成されている。本実施形態では、レバー２２が検知手段として構成され、表示片２５が表示手段として構成されている。
【００８２】
また、図１０に示すように、検知表示機構２０を、アーム２３に設けられた孔部２３ａに、板状の表示片２５の裏側に突設したボス２５ａを挿通するようにして、図９に示したリンク２４を介さずに、表示片２５をアーム２３に直接取り付けるように構成することも可能である。また、後述するようにレバー２２の揺動を表示片２５に伝達して上下動させるために、リンク２４の代わりに、或いはそれと併用して、ギアやプーリ、ベルト、チェーン、カム等の種々の部材を用いて構成することも可能である。
【００８３】
検知表示機構２０の軸部材２１は、図７に示した保持部７の支持板７３の裏側、すなわち引出部６の背面板６１に対向する面側で、図示しない軸受け部により、軸部材２１の中心軸（図９、図１０の１点鎖線参照）周りに回動自在に支持されている。
【００８４】
保持部７の支持板７３には、図１１（Ａ）に示すように、開口７３ａが設けられている。また、検知表示機構２０のレバー２２は断面略Ｌ字状に形成されており、図１１（Ａ）、（Ｂ）に示すように、レバー２２の屈曲部２２ａが、保持部７の支持板７３の裏側から開口７３ａに挿入されて、支持板７３より手前側に突出する状態とされている。
【００８５】
検知表示機構２０のレバー２２が、このように屈曲した構成とされているため、上記のように保持部７の下端保持部７２が上下動してレバー２２にぶつかっても、レバー２２が容易に支持板７３の裏側に向けて揺動するため、下端保持部７２の上下動がレバー２２により妨害されることがなく、保持部７へのＦＰＤカセッテＦの装填動作をスムーズに行うことが可能となる。
【００８６】
また、保持部７にＦＰＤカセッテＦが装填されると、レバー２２がＦＰＤカセッテＦの背面に押されて、保持部７の支持板７３の裏側に向けて揺動する。レバー２２は、このよにして、ＦＰＤカセッテＦが保持部７に装填されたことを検知する。そして、このレバー２２の揺動により軸部材２１が中心軸周りに回動して、軸部材２１の他端側に固定されたアーム２３（図９、図１０参照）が揺動する。
【００８７】
そして、アーム２３の揺動により、図９の場合にはリンク２４が下降して、表示片２５の位置が下方に変位する。すなわち表示片２５が下がる。図１０の場合には、アーム２３の揺動により、ボス２３ａが押し下げられて、表示片２５の位置が下方に変位する。
【００８８】
このようにして、本実施形態では、保持部７にＦＰＤカセッテＦが装填されると、検知表示機構２０の表示手段としての表示片２５の位置が、ＦＰＤカセッテＦが保持部７に装填されていない場合よりも下方に変位するように構成されている。
【００８９】
ここで、本実施形態では、図９や図１０に示すように、表示片２５の上方にはバネ等の弾性体２６の一端側が取り付けられており、弾性体２６の他端側は、図１２に示すように、保持部７の上端部分から延設された固定端７５に係止されるようになっている。そして、弾性体２６の張力により、表示片２５が前後方向や左右方向にずれることなく、上下方向にのみ変位するように規制されるようになっている。
【００９０】
なお、弾性体２６に加えて、表示片２５が上下方向にのみ変位するように規制するためのレール等を設けてもよい。また、図１２では、保持部７に図１０に示した検知表示機構２０が設けられた場合が示されている。さらに、図１２に示した検知表示機構２０の保持部７に対する配置等はあくまで一例であり、検知表示機構２０（すなわち検知手段としてのレバー２２と表示手段としての表示片２５の組）の配置や数等については、後で説明する。
【００９１】
このように、検知表示機構２０は、保持部７に設けられるものであり、保持部７が引出部６とともに本体部５（図３参照）に押し込まれることにより、検知表示機構２０も本体部５内に配置される。
【００９２】
そして、本実施形態では、図１３（Ａ）、（Ｂ）に示すように、本体部５の、開口５１が設けられた側面部とは反対側の側面部には、本体部５の内部を視認可能な窓部５３が設けられている。そして、上記のように保持部７や検知表示機構２０が本体部５に押し込まれた状態では、検知表示機構２０の表示片２５が、本体部５の窓部５３の内側の位置に配置されるようになっている。
【００９３】
窓部５３は、本体部５の側面部に穿設された開口でもよい。また、本実施形態では、開口を介して外部から本体部５の内部に埃等が侵入しないようにするために、窓部５３には透明なプラスチック板やガラス板が嵌め込まれている。そして、検知表示機構２０の表示手段としての表示片２５が窓部５３の内側の位置に配置されることにより、窓部５３を介して本体部５の外側から表示片２５の表面が視認できるようになっている。
【００９４】
そして、後述するように，窓部５３を介して視認することができる表示片２５の表面２５ｂ上には、種々の色やマーク等が表示されており、上記のように、ＦＰＤカセッテＦが保持部７に装填されることにより表示片２５が下方に変位することにより、窓部５３を介して視認される表示片２５上の表示内容を、ＦＰＤカセッテＦが保持部７に装填された状態と装填されていない状態とで切り替えるようになっている。
【００９５】
［構成例１］
上記のように、ＦＰＤカセッテＦが保持部７に装填されていない状態では、検知表示機構２０の表示片２５は上方の位置にあり、ＦＰＤカセッテＦが保持部７に装填されると、表示片２５は下方に変位する。
【００９６】
そこで、例えば図１４に示すように、表示片２５が上方の位置にある状態で窓部５３を介して視認される表面２５ａ上の領域を含む領域２５ｂを、例えば赤色に着色しておく。また、表示片２５が下方に変位した状態で窓部５３を介して視認される表面２５ａ上の領域を含む領域２５ｃを、例えば青色に着色しておく。
【００９７】
そして、例えば図１２に示したように、検知表示機構２０のレバー２２を、支持板７３の比較的上方の位置に設けておく。このように構成すれば、保持部７にいかなるサイズのＦＰＤカセッテＦが装填されても、レバー２２がＦＰＤカセッテＦの背面に接触して、ＦＰＤカセッテＦに押圧される状態になる。
【００９８】
そして、保持部７にＦＰＤカセッテＦが装填された状態、すなわち検知表示機構２０の表示片２５が下方に変位した状態で、保持部７が引出部６とともに本体部５に押し込まれると、本体部５の窓部５３を介して、下方に変位した表示片２５の表面２５ａが視認されるため、この場合は、窓部５３を介して青色が表示される。
【００９９】
また、保持部７にＦＰＤカセッテＦが装填されていない状態、すなわち検知表示機構２０の表示片２５が上方に位置したままの状態で、保持部７が引出部６とともに本体部５に押し込まれると、本体部５の窓部５３を介して、上方に位置した表示片２５の表面２５ａが視認されるため、この場合は、窓部５３を介して赤色が表示される。
【０１００】
すなわち、従来のブッキー撮影台では、放射線技師等は、保持部７や引出部６がカセッテホルダ２の本体部５に押し込まれている状態（すなわち図２（Ａ）に示した状態）では、カセッテホルダ２内にＦＰＤカセッテＦが装填されているか否かが分からないが、本実施形態のブッキー撮影台１のように本体部５の窓部５３を介して青色が表示されていれば、ＦＰＤカセッテＦが装填されていると判断することができ、窓部５３を介して赤色が表示されていれば、ＦＰＤカセッテＦは装填されていないと判断することが可能となる。
【０１０１】
このように、ブッキー撮影台１が検知表示機構２０すなわち検知手段としてのレバー２２と表示手段としての表示片２５の組を少なくとも１組備えていれば、例えば、表示片２５の表面２５ａに、ＦＰＤカセッテＦが保持部７に装填されていることを表す表示内容（すなわち上記の例では青色）と装填されていないことを表す表示内容（すなわち上記の例では赤色）とを上下に区別して記載しておくことで、ＦＰＤカセッテＦが装填された場合と装填されていない場合とで、それらを表す表示内容を的確に切り替えることが可能となる。
【０１０２】
そして、放射線技師等は、本体部５の窓部５３を介してその表示内容（すなわち上記の例では青色か赤色か）を見ることで、ブッキー撮影台１のカセッテホルダ２を開ける（すなわち引出部６を引き出す）等しなくても、カセッテホルダ２内にＦＰＤカセッテＦが装填されているか否か、すなわちＦＰＤカセッテＦの装填の有無を容易に確認することが可能となる。
【０１０３】
また、上記のような検知表示機構２０を複数設けることによって、カセッテホルダ２へのＦＰＤカセッテＦの装填の有無のみならず、ＦＰＤカセッテＦの装填の向き（すなわちＦＰＤカセッテＦが縦向きに装填されているか横向きに装填されているか）や装填されているＦＰＤカセッテＦのサイズをも表示することが可能となる。そして、放射線技師等がブッキー撮影台１のカセッテホルダ２を開けることなくそれらを確認することが可能となる。
【０１０４】
［構成例２］
例えば、ブッキー撮影台１に装填するＦＰＤカセッテＦが、例えば１種類のＦＰＤカセッテＦ（すなわち例えば前述した１４×１７インチの寸法のＦＰＤカセッテＦ）のみであるような場合には、ブッキー撮影台１に検知表示機構２０すなわち検知手段としてのレバー２２と表示手段としての表示片２５の組を少なくとも２組設けることで、上記のようなＦＰＤカセッテＦの装填の有無のほかに、ＦＰＤカセッテＦが縦向きに装填されている場合と横向きに装填されている場合とで表示内容を切り替えるように構成することが可能である。
【０１０５】
具体的には、例えば図１５に示すように、検知手段として、検知表示機構２０Ａのレバー２２Ａを、ＦＰＤカセッテＦを縦向きに（すなわちＦＰＤカセッテＦが縦長になるように）装填した場合にはＦＰＤカセッテＦの背面に接触するが、ＦＰＤカセッテＦを横向きに（すなわちＦＰＤカセッテＦが横長になるように）装填した場合にはＦＰＤカセッテＦの背面には接触しないような保持部７の支持板７３上の位置に配置する。
【０１０６】
また、もう１つの検知手段として、検知表示機構２０Ｂのレバー２２Ｂを、ＦＰＤカセッテＦを横向きに装填した場合にはＦＰＤカセッテＦの背面に接触するが、ＦＰＤカセッテＦを縦向きに装填した場合にはＦＰＤカセッテＦの背面には接触しないような支持板７３上の位置に配置する。
【０１０７】
そして、各検知表示機構２０Ａ、２０Ｂのアームにリンク２４Ａ、２４Ｂをそれぞれ接続して、各リンク２４Ａ、２４Ｂの上端部分にそれぞれ表示手段としての表示片２５Ａ、２５Ｂを上下動可能に取り付ける。その際、表示片２５Ａ、２５Ｂは、それぞれ表面を外側（すなわち保持部７を本体部５に押し込んだ際の窓部５３側）に向けるようにして水平方向に並ぶように配置される。
【０１０８】
この場合、例えば図１６（Ａ）、（Ｂ）に示すように、各表示片２５Ａ、２５Ｂが上方の位置にある状態で窓部５３を介して視認される表面２５Ａａ、２５Ｂａ上の領域を含む領域の部分に、それぞれ開口２５Ａｂ、２５Ｂｂを設けておく。また、各表示片２５Ａ、２５Ｂが下方に変位した状態で窓部５３を介して視認される表面２５Ａａ、２５Ｂａ上の領域に、例えば縦長の長方形や横長の長方形のマーク２５Ａｃ、２５Ｂｃを記載しておく。
【０１０９】
なお、縦長や横長の長方形のマーク２５Ａｃ、２５Ｂｃの代わりに、例えば「縦」や「横」等の文字を記載しておくことも可能であり、装填されているＦＰＤカセッテＦの向きが縦向きであるか横向きであるかを区別して表示することが可能であるものであれば、他の形態とすることも可能である。
【０１１０】
そして、図１７（Ａ）、（Ｂ）に示すように、ＦＰＤカセッテＦが装填されていない保持部７が本体部５に押し込まれた状態では、各表示片２５Ａ、２５Ｂが上方に位置しているが、その状態で、本体部５の窓部５３と各表示片２５Ａ、２５Ｂの各開口２５Ａｂ、２５Ｂｂとが水平方向に並ぶように、各表示片２５Ａ、２５Ｂを配置する。
【０１１１】
そして、各表示片２５Ａ、２５Ｂの各開口２５Ａｂ、２５Ｂｂの内側には、表面（すなわち窓部５３に対応する側の面）が例えば赤色に着色された板２７が、各表示片２５Ａ、２５Ｂに並設されるように配置される。なお、板２７は、ＦＰＤカセッテＦの装填の有無にかかわらず上下動しない。
【０１１２】
このように構成すると、ＦＰＤカセッテＦが、保持部７（図１５参照）に縦向きに装填された場合には、検知表示機構２０Ａのレバー２２ＡがＦＰＤカセッテＦの背面に接触して、ＦＰＤカセッテＦに押圧される状態になる。しかし、検知表示機構２０Ｂのレバー２２Ｂは、ＦＰＤカセッテＦの背面と接触せず、揺動しない。
【０１１３】
その結果、表示片２５Ａ（図１７（Ａ）、（Ｂ）参照）のみが下方に変位する。この状態で保持部７が引出部６とともに本体部５に押し込まれると、本体部５の窓部５３に、下方に変位した表示片２５Ａの表面２５Ａａに記載された縦長の長方形のマーク２５Ａｃ（図１６（Ａ）参照）が表示される状態になる。
【０１１４】
そのため、放射線技師等は、保持部７や引出部６がカセッテホルダ２の本体部５に押し込まれている状態（すなわち図２（Ａ）に示した状態）で本体部５の窓部５３を見れば、縦長の長方形のマーク２５Ａｃが表示されているため、ＦＰＤカセッテＦが装填されており、しかも、縦向きの状態で装填されていると判断することができる。
【０１１５】
また、ＦＰＤカセッテＦが、保持部７（図１５参照）に横向きに装填された場合には、検知表示機構２０Ｂのレバー２２ＢがＦＰＤカセッテＦの背面に接触して、ＦＰＤカセッテＦに押圧される状態になる。しかし、検知表示機構２０Ａのレバー２２Ａは、ＦＰＤカセッテＦの背面と接触せず、揺動しない。
【０１１６】
その結果、表示片２５Ｂ（図１７（Ａ）、（Ｂ）参照）のみが下方に変位する。この状態で保持部７が引出部６とともに本体部５に押し込まれると、本体部５の窓部５３に、下方に変位した表示片２５Ｂの表面２５Ｂａに記載された横長の長方形のマーク２５Ｂｃ（図１６（Ｂ）参照）が表示される状態になる。
【０１１７】
そのため、放射線技師等は、保持部７や引出部６がカセッテホルダ２の本体部５に押し込まれている状態で本体部５の窓部５３を見れば、横長の長方形のマーク２５Ｂｃが表示されているため、ＦＰＤカセッテＦが装填されており、しかも、横向きの状態で装填されていると判断することができる。
【０１１８】
さらに、ＦＰＤカセッテＦが、保持部７に装填されていない場合には、検知表示機構２０Ａ、２０Ｂのレバー２２Ａ、２２ＢはともにＦＰＤカセッテＦに接触せず、いずれも揺動しない。
【０１１９】
その結果、各表示片２５Ａ、２５Ｂ（図１７（Ａ）、（Ｂ）参照）はともに下方に変位せずに上方に位置したままになる。この状態で保持部７が引出部６とともに本体部５に押し込まれると、本体部５の窓部５３に、各表示片２５Ａ、２５Ｂの各開口２５Ａｂ、２５Ｂｂを介して板２７の表面に着色された赤色が表示される状態になる。
【０１２０】
そのため、放射線技師等は、保持部７や引出部６がカセッテホルダ２の本体部５に押し込まれている状態で本体部５の窓部５３を見れば、赤色が表示されているため、ＦＰＤカセッテＦは装填されていないと判断することができる。
【０１２１】
このように、ブッキー撮影台１に装填するＦＰＤカセッテＦが１種類のＦＰＤカセッテＦであるような場合には、ブッキー撮影台１に検知表示機構２０すなわち検知手段としてのレバー２２と表示手段としての表示片２５の組を少なくとも２組設けることで、ＦＰＤカセッテＦの装填の有無のほかに、ＦＰＤカセッテＦが縦向きに装填されている場合と横向きに装填されている場合とで表示内容を的確に切り替えることが可能となる。
【０１２２】
そして、放射線技師等は、本体部５の窓部５３を介してその表示内容（すなわち上記の例では縦長の長方形のマーク２５Ａｃであるか横長の長方形のマーク２５Ｂｃであるか、或いは赤色であるか）を見ることで、ブッキー撮影台１のカセッテホルダ２を開ける等しなくても、カセッテホルダ２内へのＦＰＤカセッテＦの装填の有無のみならず、ＦＰＤカセッテＦの装填の向きを容易に確認することが可能となる。
【０１２３】
［構成例３］
一方、例えば、ブッキー撮影台１に装填し得るＦＰＤカセッテＦが、例えば上記の１４×１７インチの他に、１７×１７インチ等の他のサイズのＦＰＤカセッテＦもあるような場合には、ブッキー撮影台１に検知表示機構２０すなわち検知手段としてのレバー２２と表示手段としての表示片２５の組を少なくとも３組設けることで、上記のようなＦＰＤカセッテＦの装填の有無や装填の向きのほかに、装填されているＦＰＤカセッテＦのサイズを切り替えて表示するように構成することが可能である。
【０１２４】
以下、ブッキー撮影台１のカセッテホルダ２に、１４×１７インチと１７×１７インチの２種類のサイズが異なるＦＰＤカセッテＦを装填する場合について説明する。
【０１２５】
具体的には、図１８に示すように、構成例２の場合と同様に、検知手段として、検知表示機構２０Ａのレバー２２Ａを、１４×１７インチのＦＰＤカセッテＦを縦向きに（すなわちＦＰＤカセッテＦが縦長になるように）装填した場合にはＦＰＤカセッテＦの背面に接触するが、ＦＰＤカセッテＦを横向きに（すなわちＦＰＤカセッテＦが横長になるように）装填した場合にはＦＰＤカセッテＦの背面には接触しないような保持部７の支持板７３上の位置に配置する。
【０１２６】
また、もう１つの検知手段として、検知表示機構２０Ｂのレバー２２Ｂを、１４×１７インチのＦＰＤカセッテＦを横向きに装填した場合にはＦＰＤカセッテＦの背面に接触するが、ＦＰＤカセッテＦを縦向きに装填した場合にはＦＰＤカセッテＦの背面には接触しないような支持板７３上の位置に配置する。
【０１２７】
さらに、構成例３では、さらにもう１つの検知手段として、検知表示機構２０Ｃのレバー２２Ｃを、１７×１７インチのＦＰＤカセッテＦを装填した場合にはＦＰＤカセッテＦの背面に接触するが、１４×１７インチのＦＰＤカセッテＦを装填した場合には、１４×１７インチのＦＰＤカセッテＦを縦向きに装填しても横向きに装填してもその背面には接触しないような支持板７３上の位置に配置する。
【０１２８】
そして、各検知表示機構２０Ａ〜２０Ｃのアームにリンク２４Ａ〜２４Ｃをそれぞれ接続して、各リンク２４Ａ〜２４Ｃの上端部分にそれぞれ表示片２５Ａ〜２５Ｃを上下動可能に取り付ける。その際、表示片２５Ａ〜２５Ｃは、それぞれ表面を外側（すなわち保持部７を本体部５に押し込んだ際の窓部５３側）に向けるようにして水平方向に並ぶように配置される。
【０１２９】
なお、図１８では、検知表示機構２０Ｃのレバー２２Ｃの揺動が、図示しない軸部材２１Ｃの中心軸周りの回動として伝達され、それが図示しないギアを介して下方に配置された第２軸部材２１Ｃ＊に伝達されるように構成されている場合が示されている。
【０１３０】
この構成例３の場合、表示手段である各表示片２５Ａ、２５Ｂには、例えば図１６（Ａ）、（Ｂ）に示したように、下方に開口２５Ａｂ、２５Ｂｂが設けられ、その上方の表面２５Ａａ、２５Ｂａ上の領域に縦長の長方形や横長の長方形のマーク２５Ａｃ、２５Ｂｃが記載されている。
【０１３１】
また、表示手段である表示片２５Ｃには、例えば図１９に示すように、表示片２５Ｃが上方の位置にある状態で窓部５３を介して視認される表面２５Ｃａ上の領域を含む領域の部分に開口２５Ｃｂを設け、表示片２５Ｃが下方に変位した状態で窓部５３を介して視認される表面２５Ｃａ上の領域に、例えば正方形のマーク２５Ｃｃを記載しておく。
【０１３２】
なお、正方形のマーク２５Ｃｃの代わりに、例えば「１７×１７」や「１７」等の文字を記載しておくことも可能であり、装填されているＦＰＤカセッテＦのサイズを区別して表示することが可能であるものであれば、他の形態とすることも可能である。
【０１３３】
そして、図２０（Ａ）、（Ｂ）に示すように、ＦＰＤカセッテＦが装填されていない保持部７が本体部５に押し込まれた状態では、各表示片２５Ａ〜２５Ｃが上方に位置しているが、その状態で、本体部５の窓部５３と各表示片２５Ａ〜２５Ｃの各開口２５Ａｂ〜２５Ｃｂとが水平方向に並ぶように、各表示片２５Ａ〜２５Ｃを配置する。
【０１３４】
そして、各表示片２５Ａ〜２５Ｃの各開口２５Ａｂ〜２５Ｃｂの内側には、構成例２の場合と同様に、表面が例えば赤色に着色された板２７が、各表示片２５Ａ〜２５Ｃに並設されるように配置される。
【０１３５】
このように構成すると、１４×１７インチのＦＰＤカセッテＦが、保持部７（図１８参照）に縦向きに装填された場合には、検知表示機構２０Ａのレバー２２ＡがＦＰＤカセッテＦの背面に接触して、ＦＰＤカセッテＦに押圧される状態になる。しかし、検知表示機構２０Ｂのレバー２２Ｂや検知表示機構２０Ｃのレバー２２Ｃは、ＦＰＤカセッテＦの背面と接触せず、揺動しない。
【０１３６】
その結果、表示片２５Ａ（図２０（Ａ）、（Ｂ）参照）のみが下方に変位する。この状態で保持部７が引出部６とともに本体部５に押し込まれると、本体部５の窓部５３に、下方に変位した表示片２５Ａの表面２５Ａａに記載された縦長の長方形のマーク２５Ａｃ（図１６（Ａ）参照）が表示される状態になる。
【０１３７】
そのため、放射線技師等は、保持部７や引出部６がカセッテホルダ２の本体部５に押し込まれている状態（すなわち図２（Ａ）に示した状態）で本体部５の窓部５３を見れば、縦長の長方形のマーク２５Ａｃが表示されているため、１４×１７インチのＦＰＤカセッテＦが装填されており、しかも、縦向きの状態で装填されていると判断することができる。
【０１３８】
また、１４×１７インチのＦＰＤカセッテＦが、保持部７に横向きに装填された場合には、検知表示機構２０Ｂのレバー２２ＢがＦＰＤカセッテＦの背面に接触して、ＦＰＤカセッテＦに押圧される状態になる。しかし、検知表示機構２０Ａのレバー２２Ａや検知表示機構２０Ｃのレバー２２Ｃは、ＦＰＤカセッテＦの背面と接触せず、揺動しない。
【０１３９】
その結果、表示片２５Ｂ（図２０（Ａ）、（Ｂ）参照）のみが下方に変位する。この状態で保持部７が引出部６とともに本体部５に押し込まれると、本体部５の窓部５３に、下方に変位した表示片２５Ｂの表面２５Ｂａに記載された横長の長方形のマーク２５Ｂｃ（図１６（Ｂ）参照）が表示される状態になる。
【０１４０】
そのため、放射線技師等は、保持部７や引出部６がカセッテホルダ２の本体部５に押し込まれている状態で本体部５の窓部５３を見れば、横長の長方形のマーク２５Ｂｃが表示されているため、１４×１７インチのＦＰＤカセッテＦが装填されており、しかも、横向きの状態で装填されていると判断することができる。
【０１４１】
さらに、１７×１７インチのＦＰＤカセッテＦが、保持部７に装填された場合には、検知表示機構２０Ｃのレバー２２ＣがＦＰＤカセッテＦの背面に接触して、ＦＰＤカセッテＦに押圧される状態になる。しかし、検知表示機構２０Ａのレバー２２Ａや検知表示機構２０Ｂのレバー２２Ｂは、ＦＰＤカセッテＦの背面と接触せず、揺動しない。
【０１４２】
その結果、表示片２５Ｃ（図２０（Ａ）、（Ｂ）参照）のみが下方に変位する。この状態で保持部７が引出部６とともに本体部５に押し込まれると、本体部５の窓部５３に、下方に変位した表示片２５Ｃの表面２５Ｃａに記載された正方形のマーク２５Ｃｃ（図１９参照）が表示される状態になる。
【０１４３】
そのため、放射線技師等は、保持部７や引出部６がカセッテホルダ２の本体部５に押し込まれている状態で本体部５の窓部５３を見れば、正方形のマーク２５Ｃｃが表示されているため、１７×１７インチのＦＰＤカセッテＦが装填されていると判断することができる。
【０１４４】
また、保持部７にいずれのＦＰＤカセッテＦも装填されていない場合には、検知表示機構２０Ａ〜２０Ｃのレバー２２Ａ〜２２ＣはいずれもＦＰＤカセッテＦに接触せず、いずれも揺動しない。
【０１４５】
その結果、各表示片２５Ａ〜２５Ｃ（図２０（Ａ）、（Ｂ）参照）はともに下方に変位せずに上方に位置したままになる。この状態で保持部７が引出部６とともに本体部５に押し込まれると、本体部５の窓部５３に、各表示片２５Ａ〜２５Ｃの各開口２５Ａｂ〜２５Ｃｂを介して板２７の表面に着色された赤色が表示される状態になる。
【０１４６】
そのため、放射線技師等は、保持部７や引出部６がカセッテホルダ２の本体部５に押し込まれている状態で本体部５の窓部５３を見れば、赤色が表示されているため、カセッテホルダ２内にはＦＰＤカセッテＦが装填されていないと判断することができる。
【０１４７】
このように、ブッキー撮影台１に複数種類のＦＰＤカセッテＦを装填するような場合には、ブッキー撮影台１に検知表示機構２０すなわち検知手段としてのレバー２２と表示手段としての表示片２５の組を少なくとも３組設けることで、ＦＰＤカセッテＦの装填の有無や装填の向きのほかに、ＦＰＤカセッテＦのサイズ（すなわち上記の例では１４×１７インチか１７×１７インチ）に応じてサイズを表す表示内容を的確に切り替えることが可能となる。
【０１４８】
そして、放射線技師等は、本体部５の窓部５３を介してその表示内容（すなわち上記の例では縦長または横長の長方形のマーク２５Ａｃ、２５Ｂｃであるか、正方形のマーク２５Ｃｃであるか、或いは赤色であるか）を見ることで、ブッキー撮影台１のカセッテホルダ２を開ける等しなくても、カセッテホルダ２内へのＦＰＤカセッテＦの装填の有無や装填の向きのみならず、装填されているＦＰＤカセッテＦのサイズを容易に確認することが可能となる。
【０１４９】
以上のように、本実施形態に係るブッキー撮影台１によれば、検知手段としてのレバー２２と表示手段としての表示片２５の組を１組或いは複数組を設けたことで、本体部５の窓部５３に、ＦＰＤカセッテＦの装填の有無や装填の向き、或いは装填されているＦＰＤカセッテＦのサイズを的確に表示することが可能となる。
【０１５０】
このように、本実施形態では、ＦＰＤカセッテＦの装填の有無や装填の向き、或いは装填されているＦＰＤカセッテＦのサイズに応じて、本体部５の窓部５３に表示する表示手段としての表示片２５の表示内容を切り替えることで、本体部５の外側から視認可能な状態で、ＦＰＤカセッテの装填の有無や向き、サイズ等を的確に表示することが可能となる。
【０１５１】
そのため、放射線技師等は、わざわざカセッテホルダ２を開けて引出部６を引き出したり、撮影室Ｒ１を出てコンソール１０２の所まで行ったり、或いは、ＦＰＤカセッテＦに加速度センサや重力センサを設けなくても、カセッテホルダ２の本体部５の窓部５３の表示を見ることで、容易かつ的確にＦＰＤカセッテＦの装填の有無や装填の向き、或いは装填されているＦＰＤカセッテＦのサイズを確認することが可能となる。
【０１５２】
そのため、本実施形態に係るブッキー撮影台１は、放射線技師等のユーザにとって非常に使い勝手が良いものとなる。
【０１５３】
また、本実施形態のように、検知手段としてのレバー２２と表示手段としての表示片２５を含む検知表示機構２０が、図９や図１０に示したように、レバー２２の揺動を軸部材２１やアーム２３、リンク２４等を介して表示片２５に伝達して表示片２５を上下動させる、いわゆる機械的な構造とされている。
【０１５４】
このように、検知手段や表示手段が、マイクロスイッチや磁気センサ、加速度センサ等により電気的（或いは磁気的）に検知するものではなく、機械的な機構によってＦＰＤカセッテＦの装填の有無や装填の向き、或いは装填されているＦＰＤカセッテＦのサイズを検知して表示するものであるため、検知手段や表示手段を非常に安価に製造することが可能となり、ブッキー撮影台１を、より安価に製造することが可能となる。
【０１５５】
なお、本実施形態では、図９や図１０に示したように、検知手段や表示手段等が、軸部材２１やレバー２２、アーム２３、リンク２４等を備えて構成されている場合について説明したが、この他にも、例えば図２１に示すように、検知手段や表示手段等をより簡易な構造とすることも可能である。
【０１５６】
この場合、検知表示機構２０＊の表示手段としての表示片２５＊は、保持部７の下端保持部７２に直接取り付けられており、保持部７が本体部５に押し込まれた状態では、本体部５の窓部５３が設けられた側面部に内側から近接する状態になるように配置されている。そして、表示片２５＊は、下端保持部７２の上下動にあわせて上下動することにより変位するようになっている。
【０１５７】
なお、この場合、下端保持部７２が検知手段を形成する。また、図２１では、表示片２５＊と本体部５の窓部５３とが離れた状態に記載されているが、実際には、図１３（Ｂ）等に示した場合と同様に、表示片２５＊は窓部５３に近接するように配置される。
【０１５８】
そして、上記の構成例２のように、ブッキー撮影台１に装填するＦＰＤカセッテＦが、例えば１４×１７インチ等の１種類のＦＰＤカセッテＦのみであるような場合には、表示片２５＊の窓部５３に対向する表面２５ａ＊に、例えば図２２に示すように、縦長の長方形のマーク２５ｄと横長の長方形のマーク２５ｅと赤色の領域２５ｆを記載しておく。
【０１５９】
その際、ＦＰＤカセッテＦを保持部７に縦向きに装填すると、下端保持部７２は最も低い位置に下がるため、表示片２５＊も下がり、表示片２５＊の上端部分が窓部５３から視認されるようになる。そこで、その上端部分に例えば縦長の長方形のマーク２５ｄを記載しておく。
【０１６０】
このように構成すると、ＦＰＤカセッテＦを保持部７に縦向きに装填して、保持部７を本体部５に押し込むと、窓部５３を介して表示片２５＊の上端部分の縦長の長方形のマーク２５ｄを視認することが可能となり、放射線技師等は、ＦＰＤカセッテＦが装填されており、しかも、縦向きの状態で装填されていると判断することが可能となる。
【０１６１】
また、ＦＰＤカセッテＦを保持部７に横向きに装填すると、下端保持部７２は中段の位置まで上がるため、表示片２５＊も上がり、表示片２５＊の中段の部分が窓部５３から視認されるようになる。そこで、図２２に示すように、表示片２５＊の表面２５ａ＊の中段の位置に例えば横長の長方形のマーク２５ｅを記載しておく。
【０１６２】
このように構成すると、ＦＰＤカセッテＦを保持部７に横向きに装填して、保持部７を本体部５に押し込むと、窓部５３を介して表示片２５＊の中段の位置の横長の長方形のマーク２５ｅを視認することが可能となり、放射線技師等は、ＦＰＤカセッテＦが装填されており、しかも、横向きの状態で装填されていると判断することが可能となる。
【０１６３】
さらに、ＦＰＤカセッテＦを保持部７に装填しない場合には、下端保持部７２は最も上方の位置まで上がるため、表示片２５＊も上がり、表示片２５＊の下段の部分が窓部５３から視認されるようになる。そこで、図２２に示すように、表示片２５＊の表面２５ａ＊の下段の領域２５ｆを例えば赤色に着色しておく。
【０１６４】
このように構成すると、ＦＰＤカセッテＦを保持部７に装填せずに、保持部７を本体部５に押し込むと、窓部５３を介して表示片２５＊の下段の領域２５ｆの赤色の表示を視認することが可能となり、放射線技師等は、ＦＰＤカセッテＦが装填されていないと判断することが可能となる。
【０１６５】
また、上記の構成例３のように、ブッキー撮影台１に複数種類のＦＰＤカセッテＦを装填する場合には、例えば図２２のマーク２５ｄ、２５ｅの代わりに、例えば装填されたＦＰＤカセッテＦの縦方向のサイズである１４インチや１７インチ等を表す「１４」や「１７」等の数字や記号等を、表示手段としての表示片２５＊の表面２５ａ＊に記載しておけば、ＦＰＤカセッテＦの装填の有無のほか、少なくとも装填されているＦＰＤカセッテＦの縦方向のサイズを窓部５３に表示することが可能となる。
【０１６６】
そして、放射線技師等は、窓部５３の表示を見るだけで、ＦＰＤカセッテＦの装填の有無のほか、少なくとも装填されているＦＰＤカセッテＦの縦方向のサイズを確認することが可能となる。
【０１６７】
そして、上記のように構成することで、検知手段や表示手段をより簡易で安価な構造とすることが可能となる。
【０１６８】
［第２の実施の形態］
上記の第１の実施形態では、ブッキー撮影台１が、上記のような機械的な構造を有する検知手段や表示手段を備える場合について説明した。そして、保持部７に装填されたＦＰＤカセッテＦを機械的に検知して、その装填の有無や装填の向き、或いは装填されたＦＰＤカセッテＦのサイズを表示する場合について説明した。
【０１６９】
しかし、検知手段や表示手段を、例えば、保持部７に装填されたＦＰＤカセッテＦを光学的に検知して、その装填の有無や装填の向き、或いは装填されたＦＰＤカセッテＦのサイズを表示するように構成することも可能である。第２の実施形態では、このように構成されたブッキー撮影台１や検知手段、表示手段について説明する。
【０１７０】
なお、本実施形態では、検知手段や表示手段以外の構成は、第１の実施形態の場合と同様であり、第１の実施形態で各部材等に付した符号を用いて説明する。また、検知手段や表示手段を含む検知表示手段については、第１の実施形態の場合の検知表示機構２０と区別して、検知表示手段３０等と表す。
【０１７１】
また、以下では、第１の実施形態における構成例３の場合に即して説明するが、構成例１や構成例２の場合のように、ＦＰＤカセッテＦの装填の有無のみや、装填の有無と装填の向きとを検知して表示するように構成することも可能である。
【０１７２】
本実施形態では、検知表示手段３０は、図２３に示すように、図示しないＣＰＵ（Central Processing Unit）等を備えるマイクロコンピュータやＦＰＧＡ（Field Programmable Gate Array）等からなる制御部３１を備えている。制御部３１を専用の制御回路で構成することも可能である。
【０１７３】
また、検知表示手段３０の制御部３１には、検知手段として、光を照射する発光手段３２ａと、保持部７にＦＰＤカセッテＦが装填されている場合に発光手段３２ａが照射した光がＦＰＤカセッテＦで反射した反射光を受光する受光手段３２ｂとを備える検知器３２が接続されている。なお、検知器３２は必要な数だけ設けられる。
【０１７４】
検知器３２は、図２４に示すように、保持部７の支持板７３の背面側（すなわち引出部６の背面板６１側）に設けられ、例えばＬＥＤ（Light Emitting Diode）等で構成される発光手段３２ａから、支持板７３に設けられた開口７３ａを介して、例えば前方下側に向けて光を照射する。
【０１７５】
その際、保持部７にＦＰＤカセッテＦが装填されていなければ、或いは、装填されていても当該開口７３ａの部分にＦＰＤカセッテＦが存在しなければ、照射された光は反射されずに前方に照射されたままとなる。
【０１７６】
また、保持部７にＦＰＤカセッテＦが装填されており、当該開口７３ａの部分にＦＰＤカセッテＦが存在する場合には、図２４に示すように、発光手段３２ａから照射された光がＦＰＤカセッテＦの背面側で反射され、例えばフォトダイオード等で構成される受光手段３２ｂによって反射光が受光される。検知器３２は、受光手段３２ｂが反射光を受光すると制御部３１に信号を送信するようになっている。
【０１７７】
そのため、検知器３２から制御部３１に信号が送信されてくれば、制御部３１は、少なくともＦＰＤカセッテＦが保持部７に装填されたことを検知することが可能となる。
【０１７８】
このように、本実施形態では、図１１（Ａ）、（Ｂ）に示した第１の実施形態において支持板７３の各開口７３ａからレバー２２の屈曲部２２ａを前方に突出させるように構成する代わりに、各開口７３ａの背面側の位置に、各検知器３２がそれぞれ設けられるようになっている。
【０１７９】
そして、第１の実施形態における構成例３の場合に即して、検知表示手段３０でＦＰＤカセッテＦの装填の有無や装填の向き、装填されているＦＰＤカセッテＦのサイズを検知して表示する場合には、図１８に示したように第１の実施形態ではレバー２２を設けた保持部７の支持板７３の３カ所の開口７３ａの位置に、レバー２２等の代わりに、検知手段としての検知器３２がそれぞれ設けられる。すなわち、この場合には、検知器３２は、各開口７３ａの位置に１個ずつ、計３個設けられる。
【０１８０】
また、第１の実施形態における構成例１や構成例２の場合に即して検知表示手段３０を構成する場合には、図１２や図１５に示したように第１の実施形態ではレバー２２を設けた保持部７の支持板７３の１カ所或いは２カ所の開口７３ａの位置に、レバー２２等の代わりに、検知手段としての検知器３２がそれぞれ設けられる。
【０１８１】
なお、上記のいずれの場合にも、保持部７に、図１２や図１５、図１８に示したレバー２２や軸部材２１、アーム２３、リンク２４、表示片２５、弾性体２６は設けられず、保持部７の上端部分に固定端７５を設ける必要もない。また、本体部５に窓部５３を設ける必要もない。
【０１８２】
一方、検知表示手段３０の制御部３１には、ＦＰＤカセッテＦの装填の有無や装填の向き、装填されているＦＰＤカセッテＦのサイズ等の表示内容を表示する表示手段としての表示部３３が接続されている。
【０１８３】
具体的には、表示部３３は、例えば、カセッテホルダ２の本体部５の上面部（図２（Ａ）等参照）や側面部、或いは、引出部６の蓋状部６２（図３等参照）の外面部に設けられ、例えば図２５に示すように、ＬＥＤが並設されて構成される。
【０１８４】
図２５では、表示部３３として、１４×１７インチのＦＰＤカセッテＦが縦向きに装填されている場合に点灯されるＬＥＤ３３ａと、横向きに装填されている場合に点灯されるＬＥＤ３３ｂと、装填されているＦＰＤカセッテＦが１７×１７インチのサイズである場合に点灯されるＬＥＤ３３ｃと、保持部７にＦＰＤカセッテＦが装填されていない場合に点灯されるＬＥＤ３３ｄとが並設されている場合が示されている。
【０１８５】
なお、図２５では、上記の各状態を「縦」や「横」等の文字で表示する場合が示されているが、第１の実施形態の場合（図１６（Ａ）、（Ｂ）や図１９等参照）のように、形状や模様、色彩等で表示するように構成することも可能である。
【０１８６】
また、図２５では、表示部３３に、さらに、ＦＰＤカセッテＦが装填されているにもかかわらず、コネクタ８（図５（Ａ）、（Ｂ）等参照）とＦＰＤカセッテＦのコネクタ部分ｆｃ（図６参照）との電気的な接続が不完全である場合に点灯される、警告手段としてのＬＥＤ３３ｅが並設されている場合が示されているが、これについては、後で説明する。
【０１８７】
次に、検知表示手段３０の制御部３１が、各検知器３２から受信した信号に基づいて、表示部３３に表示させる表示内容、すなわち点灯させる表示部３３の各ＬＥＤ３３ａ〜３３ｄを切り替えることについて説明する。
【０１８８】
前述したように、各検知器３２の前方にＦＰＤカセッテＦが存在する場合には、受光手段３２ｂが反射光を受光するため、各検知器３２から制御部３１に信号が送信される。そして、本実施形態では、制御部３１は、３個の検知器３２から送信されてくる信号の有無に応じて、下記の表１に示すテーブルに従って、ＦＰＤカセッテＦの装填の有無や装填の向き、ＦＰＤカセッテＦのサイズを検知するようになっている。
【０１８９】
なお、下記のテーブルでは、図１８のレバー２２Ａ、２２Ｂ、２２Ｃの位置の各開口７３ａの各背面側に設けられた各検知器３２が、それぞれ検知器３２Ａ、３２Ｂ、３２Ｃとして記載されている。また、表１のテーブルの「状態」の欄に記載されている内容は、前述した表示部３３の各ＬＥＤ３３ａ〜３３ｄ（図２５参照）の内容と一致している。
【０１９０】
【表１】
2012000332.tif 000003
【０１９１】
第１の実施形態において図１８を用いて説明したように、レバー２２Ａの位置に対応する検知器３２Ａでは、１４×１７インチのＦＰＤカセッテＦを縦向きに装填した場合にのみ発光手段３２ａが照射した光のＦＰＤカセッテＦによる反射光を受光手段３２ｂが受光する。そのため、上記のテーブルに示すように、検知器３２Ａから信号が送信されてきた場合には、１４×１７インチのＦＰＤカセッテＦが縦向きに装填されていることを意味する。
【０１９２】
また、図１８のレバー２２Ｂの位置に対応する検知器３２Ｂでは、１４×１７インチのＦＰＤカセッテＦを横向きに装填した場合にのみ発光手段３２ａが照射した光のＦＰＤカセッテＦによる反射光を受光手段３２ｂが受光する。そのため、上記のテーブルに示すように、検知器３２Ｂから信号が送信されてきた場合には、１４×１７インチのＦＰＤカセッテＦが横向きに装填されていることを意味する。
【０１９３】
さらに、図１８のレバー２２Ｃの位置に対応する検知器３２Ｃでは、１７×１７インチのＦＰＤカセッテＦを装填した場合にのみ発光手段３２ａが照射した光のＦＰＤカセッテＦによる反射光を受光手段３２ｂが受光する。そのため、上記のテーブルに示すように、検知器３２Ｃから信号が送信されてきた場合には、１７×１７インチのＦＰＤカセッテＦが装填されていることを意味する。
【０１９４】
また、検知器３２Ａ〜３２Ｃのいずれからも信号が送信されてこない場合には、保持部７には１４×１７インチのＦＰＤカセッテＦも１７×１７インチのＦＰＤカセッテＦもともに装填されていないことを意味するため、その状態は、保持部７にＦＰＤカセッテＦが装填されていない、いわゆる空の状態に対応する。
【０１９５】
このように、検知表示手段３０の制御部３１は、各検知器３２からの信号の送信の有無に応じて上記のテーブルを参照して、ＦＰＤカセッテＦの装填の有無や装填の向き、ＦＰＤカセッテＦのサイズを検知する。そして、そのようにして検知した状態に応じて、各状態に対応する表示部３３の各ＬＥＤ３３ａ〜３３ｄのいずれか１つを点灯させるようになっている。
【０１９６】
以上のように、本実施形態に係るブッキー撮影台１においても、第１の実施形態に係るブッキー撮影台１と同様の優れた効果を奏することが可能となる。
【０１９７】
すなわち、検知手段として、カセッテホルダ２の保持部７にＦＰＤカセッテＦを装填すると発光手段３２ａが照射した光の反射光を受光する受光手段３２ｂが設けられた検知器３２を備え、表示手段としてＬＥＤ等からなる表示部３３を備えたことで、表示手段としての表示部３３に、ＦＰＤカセッテＦの装填の有無や装填の向き、或いは装填されているＦＰＤカセッテＦのサイズを的確に表示することが可能となる。
【０１９８】
このように、本実施形態では、ＦＰＤカセッテＦの装填の有無や装填の向き、或いは装填されているＦＰＤカセッテＦのサイズに応じて、表示手段としての表示部３３で点灯させる各ＬＥＤ３３ａ〜３３ｄを切り替えて表示内容を切り替えることで、本体部５の外側から視認可能な状態で、ＦＰＤカセッテの装填の有無や向き、サイズ等を的確に表示することが可能となる。
【０１９９】
そのため、放射線技師等は、わざわざカセッテホルダ２を開けて引出部６を引き出したり、撮影室Ｒ１を出てコンソール１０２の所まで行ったり、或いは、ＦＰＤカセッテＦに加速度センサや重力センサを設けなくても、カセッテホルダ２の表示部３３の表示を見ることで、容易かつ的確にＦＰＤカセッテＦの装填の有無や装填の向き、或いは装填されているＦＰＤカセッテＦのサイズを確認することが可能となる。
【０２００】
そのため、本実施形態に係るブッキー撮影台１は、放射線技師等のユーザにとって非常に使い勝手が良いものとなる。
【０２０１】
また、検知表示手段３０を、簡単なマイクロコンピュータ等やＬＥＤ、フォトダイオード等で形成することができるため、検知手段や表示手段を含む検知表示手段３０を安価に製造することが可能となり、ブッキー撮影台１を、より安価に製造することが可能となる。
【０２０２】
なお、図２５に示したように、本実施形態では、表示部３３に、ＦＰＤカセッテＦが装填されているにもかかわらずコネクタ８（図５（Ａ）、（Ｂ）等参照）とＦＰＤカセッテＦのコネクタ部分ｆｃ（図６参照）との電気的な接続が不完全である場合に点灯される、警告手段としてのＬＥＤ３３ｅが設けられている。
【０２０３】
検知表示手段３０の制御部３１は、上記のようにして、検知器３２からの信号の送信の有無に基づいてＦＰＤカセッテＦの装填の有無を検知することができる。また、コネクタ８とＦＰＤカセッテＦのコネクタ部分ｆｃとの電気的な接続が不完全であるか否かは、ケーブル９を介してコネクタ８側からＦＰＤカセッテＦ側に電流を流して導通を確認する等して確認することができる。
【０２０４】
この場合、コネクタ８に接続されているケーブル９（図１や図４（Ａ）、（Ｂ）等参照）を検知表示手段３０の制御部３１に接続し、制御部３１と中継器１００（図１参照）とをさらにケーブル９で結ぶように構成して（すなわちケーブル９を検知表示手段３０の制御部３１で中継するように構成して）、制御部３１や中継器１００からコネクタ８を介してＦＰＤカセッテＦに電流を流して、制御部３１でその導通を確認するように構成することも可能である。
【０２０５】
また、コネクタ８と中継器１００とを結ぶケーブル９を検知表示手段３０の制御部３１で中継するように構成せずに、ケーブル９とは別のケーブルを検知表示手段３０の制御部３１と中継器１００との間に配線しておき、中継器１００からコネクタ８を介してＦＰＤカセッテＦに流した電流の導通があったか否かを、検知表示手段３０の制御部３１が自ら判断して確認したり、中継器１００やコンソール１０２等で判断した結果を検知表示手段３０の制御部３１に送信して確認するように構成することも可能である。
【０２０６】
そして、制御部３１は、検知器３２から信号が送信されており、ＦＰＤカセッテＦが保持部７に装填されているにもかかわらず、コネクタ８側からＦＰＤカセッテＦ側に電流を流しても導通がない場合や導通が不十分であると判断される場合に、コネクタ８とＦＰＤカセッテＦのコネクタ部分ｆｃとの電気的な接続が不完全であると判断して、表示部３３のＬＥＤ３３ｅを点灯させるようになっている。
【０２０７】
その際、ＬＥＤ３３ｅは、例えば赤色や黄色等の、放射線技師等の注意を喚起する色で点灯される。また、スピーカやブザー等の発声装置を設けて、音声で警告するように構成することも可能である。
【０２０８】
コネクタ８とＦＰＤカセッテＦのコネクタ部分ｆｃとの電気的な接続が不完全である状態で放射線画像撮影を行うと、その状態で行った撮影では、通常、正常な画像データを取得することができないため、両者の電気的な接続を完全にした状態での再撮影が必要となる。
【０２０９】
そのため、電気等が無駄に消費されるほか、被験者である患者の被曝線量が増大し、患者に負担をかけることになるが、上記のように構成することで、このような事態が生じることを確実に防止することが可能となる。
【０２１０】
なお、本発明の効果がより的確に発揮されるように、検知表示機構２０、３０の構成や保持部７の形状等を改良する等の変更は、適宜行われる。
【０２１１】
また、上記の各実施形態で、保持部７等を、ＦＰＤカセッテＦのみを装填可能に構成することも可能であり、ＦＰＤカセッテＦとＣＲカセッテの両方を装填できるように構成することも可能である。また、ＦＰＤカセッテＦを、ＣＲカセッテが準拠する従来のスクリーンフィルム用のカセッテにおけるＪＩＳ規格サイズに準拠した寸法で形成すれば、同じ保持部７等でＦＰＤカセッテＦもＣＲカセッテもいずれも装填することが可能となる。そして、これらのいずれの構成に対しても、本発明を適用することができることは言うまでもない。
【０２１２】
また、ＦＰＤカセッテＦには、上記のようなコネクタ８との接続状態や内蔵されたバッテリの消費状態等を表示するためのＬＥＤ等が、例えば図６に示したコネクタ部分ｆｃが設けられた側面部（例えば長辺側の側面部）等に設けられている場合がある。このような場合には、そのＬＥＤ等が点灯していることを目視することで、コネクタ８との電気的な接続が正常であるか否か等の確認を行うことができる。
【０２１３】
そこで、例えば、カセッテホルダ２の本体部５の側面部等に、保持部７に装填されて本体部５の内部に収納されたＦＰＤカセッテＦの側面部のＬＥＤ等の点灯状況を視認するための窓部を設けるように構成することが可能である。
【０２１４】
なお、この場合の窓部も、第１の実施形態における窓部５３と同様に、透明なプラスチック板やガラス板が嵌め込まれていることが好ましい。しかし、第１の実施形態において窓部を設ける場合には、窓部５３の内側には検知表示機構２０の表示片２５が配置されていて窓部５３を介して本体部５の内部は視認できないため、窓部は、窓部５３とは別の位置等に設けられる。
【０２１５】
ところで、上記のＬＥＤ等が、例えばＦＰＤカセッテＦの長辺側の側面部に設けられている場合、図２６に示すように、ＦＰＤカセッテＦを保持部７に縦向きに装填した場合には、ＬＥＤ等を側方から視認することができるため、上記のように、窓部を、図２６では図示しないカセッテホルダ２の本体部５の側面部等に設ければよい。
【０２１６】
また、例えば図２７に示すように、ＦＰＤカセッテＦを保持部７に横向きに装填し、ＬＥＤ等が下側に位置するように装填した場合、ＬＥＤ等を下方から視認することができるため、窓部を、図２７では図示しないカセッテホルダ２の本体部５の底面部等に設ければよい。なお、この場合、ＬＥＤ等が下方から視認できるように、保持部７の下端保持部７２にはＬＥＤ等に対応する位置に切り欠きが設けられている。
【０２１７】
しかし、このように窓部をカセッテホルダ２の本体部５の底面部に形成すると、前述した被験者の脚部を撮影する場合のように、カセッテホルダ２（図２（Ａ）、（Ｂ）等参照）を下方に移動させた場合、放射線技師等は、身をかがめてカセッテホルダ２の下側にもぐりこむようにして、窓部を介してＦＰＤカセッテＦのＬＥＤ等を視認しなければならない状況になる。
【０２１８】
そこで、例えばブッキー撮影台１の脚部４（図２（Ａ）、（Ｂ）参照）の付近に図示しない反射鏡を備えるように構成することが可能である。
【０２１９】
このように構成すれば、保持部７に装填されたＦＰＤカセッテＦのＬＥＤ等から発光された光が窓部を介して反射鏡に到達し、反射鏡で反射させることが可能となる。そのため、カセッテホルダ２が下方に移動した状態でも、放射線技師等は、カセッテホルダ２の下側にもぐりこまなくても、反射鏡を見ることで、ＦＰＤカセッテＦのＬＥＤ等の点灯状況を容易に視認することが可能となる。
【符号の説明】
【０２２０】
１  ブッキー撮影台
２  カセッテホルダ
５  本体部
６  引出部
７  保持部
８  コネクタ
９  ケーブル
１０  レール
１１  ガイド
２１  軸部材
２２  レバー（検知手段）
２３  アーム
２４  リンク
２５  表示片（表示手段）
２５ａ  表面（表示片の面）
３２  検知器（検知手段）
３２ａ  発光手段
３２ｂ  受光手段
３３  表示部（表示手段）
３３ｅ  ＬＥＤ（警告手段）
５３  窓部
６１  背面板
７１  上端保持部
７１ａ、７２ａ  凹部
７１ｂ、７２ｂ  底部部分
７２  下端保持部（検知手段）
７３  支持板
７４  緩衝材
Ｆ  ＦＰＤカセッテ（可搬型の放射線画像撮影装置）
ｆｃ  コネクタ部分
【図１】
2012000332.tif 000004
【図２】
2012000332.tif 000005
【図３】
2012000332.tif 000006
【図４】
2012000332.tif 000007
【図５】
2012000332.tif 000008
【図６】
2012000332.tif 000009
【図７】
2012000332.tif 000010
【図８】
2012000332.tif 000011
【図９】
2012000332.tif 000012
【図１０】
2012000332.tif 000013
【図１１】
2012000332.tif 000014
【図１２】
2012000332.tif 000015
【図１３】
2012000332.tif 000016
【図１４】
2012000332.tif 000017
【図１５】
2012000332.tif 000018
【図１６】
2012000332.tif 000019
【図１７】
2012000332.tif 000020
【図１８】
2012000332.tif 000021
【図１９】
2012000332.tif 000022
【図２０】
2012000332.tif 000023
【図２１】
2012000332.tif 000024
【図２２】
2012000332.tif 000025
【図２３】
2012000332.tif 000026
【図２４】
2012000332.tif 000027
【図２５】
2012000332.tif 000028
【図２６】
2012000332.tif 000029
【図２７】
2012000332.tif 000030